(57)【要約】【課題】テレビ地上放送や無線通信等に使用されるアンテナを家屋の壁面等に容易に取付けることができるアンテナの取付構造を提供する。【解決手段】壁面に固定した壁面取付金具２８の固定用ボルト３６に、アンテナ本体に設けた壁面取付金具支持部２７を取付ける。壁面取付金具支持部２７は、上部及び下部に設けた方向調整用ガイド溝４５の中央部に固定用ボルト３６の直径より大きい開口部４６を設け、この開口部４６に抜け止め用ゴム１６４ａ、１６４ｂを配置する。固定用ボルト３６を外側から方向調整用ガイド溝４５に挿入する際は抜け止め用ゴム１６４ａ、１６４ｂが押圧されて変形しボルトを通過させるが、固定用ボルト３６が方向調整用ガイド溝４５側から抜け止め用ゴム１６４ａ、１６４ｂに当接した場合には、抜け止め用ゴム１６４ａ、１６４ｂは変形せず、固定用ボルト３６の通過を阻止する。【選択図】図３０
2014045407.tif 000002
【特許請求の範囲】
【請求項１】
壁面に取付けられる壁面取付金具と、前記壁面取付金具の上部ボルト保持部と下部ボルト保持部との間に装着され、ナットに螺着されて保持される固定用ボルトと、
アンテナ本体の背面に設けられて前記壁面取付金具の固定用ボルトに取付けられる壁面取付金具支持部の基体と、前記基体の上部及び下部に相対向して設けられる１対の金具支持板と、前記各金具支持板に設けられて前記固定用ボルトが挿入される方向調整用ガイド溝と、前記方向調整用ガイド溝の前面側の略中央部に前記固定用ボルトの径より広く形成された開口部と、前記開口部の外方両側部に前記固定用ボルトの径より大きい間隔で設けられ、前記固定用ボルトの挿入をガイドする１対のボルト挿入ガイドと、前記ボルト挿入ガイドと前記方向調整用ガイド溝との間に設けられ、相対向する内側端部が近接して位置するように設けられる１対の抜け止め用ゴムとを具備し、
前記固定用ボルトが前記ボルト挿入ガイド側から前記抜け止め用ゴム間を通る際は前記抜け止め用ゴムの内側先端部が前記固定用ボルトとの接触により変形して該固定用ボルトを通過させ、前記固定用ボルトが前記方向調整用ガイド溝側から前記抜け止め用ゴム間を通過しようとする際は、該抜け止め用ゴムの外側方向への変形を阻止して前記固定用ボルトの通過を阻止するように構成したことを特徴とするアンテナの取付構造。
【請求項２】
前記壁面取付金具は、下部ボルト保持部の先端側に斜め下方に所定角度折り曲げてなる突出片を設けて該下部ボルト保持部を上部ボルト保持部より長く形成し、
前記壁面取付金具支持部は、基体の下部に前記下部ボルト保持部の突出片に対応する取付けガイドを設け、前記壁面取付金具に取付ける際に前記取付けガイドを前記下部ボルト保持部の突出片上に載置して差し込むことで前記壁面取付金具に取付けられるように構成したことを特徴とする請求項１に記載のアンテナの取付構造。
【請求項３】
前記壁面取付金具支持部は、
各方向調整用ガイド溝のアンテナ本体取付側の中央部及び両側部に設けられる第１、第２、第３のボルト保持部と、
基体の略中央部に設けられ、前記第１のボルト保持部に挿入される固定用ボルトに圧接して該固定用ボルトを保持する第１の固定ストッパーと、前記基体の両側中央部近傍に設けられ、前記第２のボルト保持部及び前記第３のボルト保持部に選択的に挿入される固定用ボルトに圧接して該固定用ボルトを保持する第２、第３の固定ストッパーとを具備し、
前記固定用ボルトを前記方向調整用ガイド溝に沿って摺動移動させ、前記第１、第２、第３のボルト保持部にセットした状態で前記アンテナ本体を回動させて方向を調整できるように構成したことを特徴とする請求項１又は２に記載のアンテナの取付構造。
【請求項４】
前記アンテナ本体は、
下側部に設けられる室内スタンド取付部と、背面に設けられるマスト受部とを備えると共に、背面に前記壁面取付金具支持部を着脱可能に設け、室内スタンド、アンテナマスト、壁面への取付けを可能としたことを特徴とする請求項１ないし３の何れかに記載のアンテナの取付構造。
【請求項５】
前記壁面取付金具支持部は、前記アンテナ本体の背面に着脱可能で、且つ時計方向又は反時計方向に９０度回転させた状態で取付けられるように構成し、水平偏波、垂直偏波の双方に対応できるようにしたことを特徴とする請求項１ないし４の何れかに記載のアンテナの取付構造。
【発明の詳細な説明】
【技術分野】
【０００１】
本発明は、例えばテレビ地上放送や無線通信等に使用されるアンテナを家屋の壁面等に取付けるアンテナの取付構造に関する。
【背景技術】
【０００２】
地上デジタル（テレビジョン）放送（ISTB-T:Terrestrial Integrated Services Digital Broadcasting）は、２００３年１２月から関東、近畿及び中京広域圏で放送が開始され、２０１１年には一部の地域を除き、地上アナログ放送から地上デジタル放送へ移行した。地上デジタル放送では、アナログ放送のような、ゴースト等の障害が発生せず、設置場所も多様化してきており、従来のように屋根馬とマストを用いて屋根の上にアンテナを設置する用途以外に、家屋の壁面や室内に設置したいという要望がある
なかでも、太陽光発電設備が屋根上に取付けてある家屋や、屋根の構造が片流れの家屋など、屋根馬を用いて屋根上にアンテナを設置できない家屋も増えてきており、アンテナを家屋の壁面に設置する壁面設置アンテナの必要性が高まってきている。
【０００３】
地上デジタル放送受信用のアンテナを家屋の壁面に設置するための従来のアンテナ取付構造は、アンテナ本体の背面に設けられる保持具と、壁面に取付けられる壁面取付具とを備え、予め壁面に取付けた壁面取付具に対してアンテナ本体側の保持具を接合し、該壁面取付具と保持具との接合部に設けたボルト穴に上方あるいは下方から固定用ボルトを差し込み、その先端にナットを螺着して締付けることにより、壁面取付具と保持具との間を固定するように構成している（例えば、特許文献１、２参照。）。
【先行技術文献】
【特許文献】
【０００４】
【特許文献１】特開２０１１−１８２２９５号公報
【特許文献２】特開２０１０−２２６１５０号公報
【発明の概要】
【発明が解決しようとする課題】
【０００５】
上記従来のアンテナの取付構造は、予め壁面に取付けた壁面取付具に対してアンテナ本体側の保持具を接合し、該壁面取付具と保持具との接合部に設けたボルト穴に上方あるいは下方から固定用ボルトを差し込み、その先端にナットを螺着し締付けて固定することにより、アンテナ本体及び保持具が壁面取付具から外れないような構造となっているので、固定用ボルトを壁面取付具及び保持具の接合部に設けたボルト穴に差し込むときは、保持具が壁面取付具から脱落しないように、作業者がアンテナ本体を手で押さえておかなければならず、取付けが面倒であると共に両手がふさがるという問題があった。
【０００６】
本発明は上記の課題を解決するためになされたもので、例えばテレビ地上放送の受信や無線通信等に使用されるアンテナを家屋の壁面等に容易に取付けることができ、且つアンテナ本体の方向を広範囲に調整することができるアンテナの取付構造を提供することを目的とする。
【０００７】
また、本発明は、アンテナ本体を室内スタンド、アンテナマスト、壁面等に取付けて使用することができるアンテナの取付構造を提供することを目的とする。
【課題を解決するための手段】
【０００８】
第１の発明に係るアンテナの取付構造は、壁面に取付けられる壁面取付金具と、前記壁面取付金具の上部ボルト保持部と下部ボルト保持部との間に装着され、ナットに螺着されて保持される固定用ボルトと、アンテナ本体の背面に設けられて前記壁面取付金具の固定用ボルトに取付けられる壁面取付金具支持部の基体と、前記基体の上部及び下部に相対向して設けられる１対の金具支持板と、前記各金具支持板に設けられて前記固定用ボルトが挿入される方向調整用ガイド溝と、前記方向調整用ガイド溝の前面側の略中央部に前記固定用ボルトの径より広く形成された開口部と、前記開口部の外方両側部に前記固定用ボルトの径より大きい間隔で設けられ、前記固定用ボルトの挿入をガイドする１対のボルト挿入ガイドと、前記方向調整用ガイド溝の開口部に設けられる１対の抜け止め用ゴムとを具備し、
前記固定用ボルトが前記ボルト挿入ガイド側から前記抜け止め用ゴム間を通る際は前記抜け止め用ゴムの内側先端部が前記固定用ボルトとの接触により変形して該固定用ボルトを通過させ、前記固定用ボルトが前記方向調整用ガイド溝側から前記抜け止め用ゴム間を通過しようとする際は、該抜け止め用ゴムの外側方向への変形を阻止して前記固定用ボルトの通過を阻止するように構成したことを特徴とする。
【０００９】
第２の発明は、前記第１の発明に係るアンテナの取付構造において、前記壁面取付金具は、下部ボルト保持部の先端側に斜め下方に所定角度折り曲げてなる突出片を設けて該下部ボルト保持部を上部ボルト保持部より長く形成し、前記壁面取付金具支持部は、基体の下部に前記下部ボルト保持部の突出片に対応する取付けガイドを設け、前記壁面取付金具に取付ける際に前記取付けガイドを前記下部ボルト保持部の突出片上に載置して差し込むことで前記壁面取付金具に取付けられるように構成したことを特徴とする。
【００１０】
第３の発明は、前記第１又は第２の発明に係るアンテナの取付構造において、前記壁面取付金具支持部は、各方向調整用ガイド溝のアンテナ本体取付側の中央部及び両側部に設けられる第１、第２、第３のボルト保持部と、基体の略中央部に設けられ、前記第１のボルト保持部に挿入される固定用ボルトに圧接して該固定用ボルトを保持する第１の固定ストッパーと、前記基体の両側中央部近傍に設けられ、前記第２のボルト保持部及び前記第３のボルト保持部に選択的に挿入される固定用ボルトに圧接して該固定用ボルトを保持する第２、第３の固定ストッパーとを具備し、前記固定用ボルトを前記方向調整用ガイド溝に沿って摺動移動させ、前記第１、第２、第３のボルト保持部にセットした状態で前記アンテナ本体を回動させて方向を調整できるように構成したことを特徴とする。
【００１１】
第４の発明は、前記第１ないし第３の何れかの発明に係るアンテナの取付構造において、前記アンテナ本体は、下側部に設けられる室内スタンド取付部と、背面に設けられるマスト受部とを備えると共に、背面に前記壁面取付金具支持部を着脱可能に設け、室内スタンド、アンテナマスト、壁面への取付けを可能としたことを特徴とする。
【００１２】
第５の発明は、前記第１ないし第４の何れかの発明に係るアンテナの取付構造において、前記壁面取付金具支持部は、前記アンテナ本体の背面に着脱可能で、且つ時計方向又は反時計方向に９０度回転させた状態で取付けられるように構成し、水平偏波、垂直偏波の双方に対応できるようにしたことを特徴とする。
【発明の効果】
【００１３】
第１の発明によれば、壁面取付金具支持部を壁面取付金具に取付ける際、壁面取付金具支持部の下方から固定用ボルトを差し込んで固定する作業が不要であり、また、壁面取付金具支持部を壁面取付金具側に差し込んだ後はアンテナ本体を手で支える必要もなく、アンテナ本体を壁面に容易に取付けることができる。
【００１４】
第２の発明によれば、アンテナ本体に設けた壁面取付金具支持部を壁面取付金具に取付ける際、アンテナ本体によって壁面取付金具が目視しにくい状態となっても、取付けガイドによってアンテナ本体の壁面取付金具支持部を斜め上から壁面取付金具内に容易に差し込むことが可能となり、アンテナ本体を壁面に容易に且つ確実に取付けることができる。
【００１５】
第３の発明によれば、アンテナ本体の方向を広範囲、例えば（−）６０度〜（＋）６０度の範囲で調整することができる。
第４の発明によれば、アンテナ本体を室内スタンド、アンテナマスト、壁面等に取付けて使用することができる。また、それぞれの設置方法に応じてアンテナ本体に対して部品の取付けを可能とすることにより、その設置方法に対して不必要な部品を除くことができる。この結果、設置方法に応じた原価とすることができ、必要に応じて安価に製品を提供することができる。
【００１６】
第５の発明によれば、アンテナ本体を時計方向又は反時計方向に９０度回転させた状態で取付けることが可能であり、水平偏波、垂直偏波の双方に対応することができる。
【図面の簡単な説明】
【００１７】
【図１】本発明の実施例１に係る壁面取付装置を備えたアンテナの背面側斜視図である。
【図２】同実施例１において、アンテナ本体に設けた壁面取付金具支持部に壁面取付金具を取付けた状態を示す背面側斜視図である。
【図３】同実施例１において、壁面取付金具支持部に設けられた方向調整用ガイド溝に壁面取付金具に予め取付けてある固定用ボルトを挿入した状態を示す斜視図である。
【図４】図３のＡ−Ａ’線矢視断面図で、固定用ボルトを壁面取付金具支持部の溝に挿入する際の状態を示す図である。
【図５】同実施例１において、壁面取付金具支持部における固定用ボルトの抜け止め構造を示す斜視図である。
【図６】図５のＢ−Ｂ’線矢視断面図で、固定用ボルトの抜け止め動作を説明するための図である。
【図７】同実施例１において、前面カバーに導波器を組み込んだ状態を示す裏面側斜視図である。
【図８】同実施例１において、裏面カバーに組み込まれる放射器及び反射器を示す分解斜視図である。
【図９】同実施例１において、裏面カバーに放射器及び反射器を組み込んだ状態示す斜視図である。
【図１０】同実施例１において、前面カバーを裏面カバーに装着する際の過程を示す斜視図である。
【図１１】本発明の実施例２に係るアンテナの取付構造を示し、（ａ）は壁面に取付けた壁面取付金具に対してアンテナ本体に設けた壁面取付金具支持部を取付ける過程を示す正面図、（ｂ）は同側面図である。
【図１２】図１１における壁面取付け過程を下方から見た斜視図である。
【図１３】同実施例２に係るアンテナの取付構造における壁面への取付け過程を示し、図１１のＣ−Ｃ’線矢視断面図である。
【図１４】同実施例２に係るアンテナの取付構造における壁面への取付け過程を示し、壁面取付金具支持部及び壁面取付金具部分を拡大して示す断面図である。
【図１５】本発明の実施例３に係るアンテナの取付構造を示す背面側斜視図である。
【図１６】（ａ）は同実施例３に係るアンテナの取付構造における壁面取付金具支持部の上側半分を示す背面図、（ｂ）は図１５における壁面取付装置のＤ−Ｄ’線矢視断面図である。
【図１７】同実施例３において、固定用ボルトを方向調整用ガイド溝のボルト保持部４７ｃセットしたときの状態を示し、（ａ）はアンテナ本体を０度方向に向けたときの背面側斜視図、（ｂ）はアンテナ本体を（＋）６０度方向に向けたときの背面側斜視図である。
【図１８】図１７（ａ）のＥ−Ｅ’線矢視断面図である。
【図１９】本発明の実施例４に係るアンテナの取付構造の構成例を示し、（ａ）はアンテナ本体の前面側斜視図、（ｂ）はアンテナ本体の背面側斜視図、（ｃ）はマスト受部を拡大して示す斜視図である。
【図２０】同実施例４に係るアンテナの取付構造において、アンテナ本体の室内スタンド取付部に室内スタンドを取付けた状態を示し、（ａ）は前面側斜視図、（ｂ）は背面側斜視図である。
【図２１】同実施例４において、アンテナ本体の室内スタンド取付部に室内スタンドを取付ける室内スタンド取付手順を示す図である。
【図２２】同実施例４において、アンテナ本体をマストに取付けて使用する場合の例を示し、（ａ）は水平偏波を受信する場合のマスト取付状態を示す背面側斜視図、（ｂ）は垂直偏波を受信する場合のマスト取付状態を示す背面側斜視図である。
【図２３】同実施例４において、アンテナ本体を壁面に取付けて使用する場合のアンテナの取付構造を示す分解斜視図である。
【図２４】アンテナ本体を壁面に取付けて使用する場合の垂直偏波受信時における壁面取付状態を示す斜視図である。
【図２５】アンテナ本体をベランダ格子に取付けて使用する場合の水平偏波受信時におけるアンテナ取付け状態を示す斜視図である。
【図２６】本発明の実施例５に係るアンテナの取付構造を示す背面側斜視図である。
【図２７】同実施例５に係るアンテナの取付構造を示し、（ａ）は背面図、（ｂ）は側面図、（ｃ）は底面図である。
【図２８】同実施例５に係るアンテナの取付構造における壁面取付金具支持部の抜け止め構造を示し、（ａ）は斜視図、（ｂ）は同図（ａ）のＦ−Ｆ’線矢視断面図、（ｃ）は抜け止め用ゴムを取出して示す斜視図である。
【図２９】同実施例５に係るアンテナの取付構造における壁面取付金具支持部の抜け止め構造を示し、（ａ）は壁面取付金具支持部に設けられた方向調整用ガイド溝に壁面取付金具の固定用ボルトを挿入する際の状態を示す斜視図、（ｂ）は同図（ａ）のＧ−Ｇ’線矢視断面図、（ｃ）は固定用ボルト挿入時における抜け止め用ゴムの変形状態を示す斜視図である。
【図３０】同実施例５に係るアンテナの取付構造において、方向調整用ガイド溝に挿入された固定用ボルトの抜け止め構造を示し、（ａ）は壁面取付金具支持部及び壁面取付金具の斜視図、（ｂ）は同図（ａ）のＨ−Ｈ’線矢視断面図、（ｃ）は固定用ボルト挿入後における抜け止め用ゴムの状態を示す斜視図である。
【発明を実施するための形態】
【００１８】
以下、本発明の実施の形態について図面を参照して詳細に説明する。
【実施例１】
【００１９】
図１は本発明の実施例１に係る壁面取付装置を備えたアンテナの背面側斜視図である。なお、図１はアンテナ本体に設けた壁面取付金具支持部から壁面取付金具を取外した状態を示している。図２はアンテナ本体に設けた壁面取付金具支持部に壁面取付金具を取付けた状態を示す背面側斜視図である。
【００２０】
図１及び図２において、２１はアンテナ本体で、合成樹脂を用いて形成した前面カバー２１及び裏面カバー２２内に詳細を後述するアンテナ素子が設けられる。上記アンテナ本体２０の背面、すなわち裏面カバー２２の背面は、両側部に対して中央部分が一定の高さ後方に突出して段差を持つように形成され、部品取付面２３を構成している。
【００２１】
上記裏面カバー２２の背面には、例えば部品取付面２３の左側中央位置に接栓取付部２４が形成され、その内側に給電用接栓２５が設けられる。この給電用接栓２５には、下方から給電用ケーブル（図示せず）が接続される。更に裏面カバー２２には、部品取付面２３の略中央位置にマスト受部２６が一体に設けられる。また、部品取付面２３は、下方部位が左右の方向に広く形成されて金具支持部取付面２３ａを構成し、この金具支持部取付面２３ａに壁面取付金具支持部２７がネジにより取付けられる。上記金具支持部取付面２３ａには、複数のネジ穴が設けられており、壁面取付金具支持部２７を時計方向あるいは反時計方向に９０度回転させた状態で取付けられるようになっている。上記壁面取付金具支持部２７は、壁面取付金具２８を介して壁面に取付けられる。
【００２２】
壁面取付金具２８は、板状の金属部材の上下両端が一方の側に直角に折曲げられ、上部ボルト保持部２９ａ及び下部ボルト保持部２９ｂを構成している。この上部ボルト保持部２９ａと下部ボルト保持部２９ｂとの間の間隔は、詳細を後述する壁面取付金具支持部２７の上部金具支持板４２ａと下部金具支持板４２ｂの外側間隔より少し大きく形成される。
【００２３】
上記上部ボルト保持部２９ａ及び下部ボルト保持部２９ｂには、先端側の中央にボルト穴が設けられる。上記壁面取付金具２８は、左右に壁取付面３２ａ、３２ｂを備え、その背面中央部に略半円状の溝３１が上下方向に形成される。壁面取付金具２８は、壁取付面３２ａ、３２ｂにより壁面へ取付けられるが、その他、上記溝３１及びマストバンドを使用することで、マスト等への取付けが可能である。
【００２４】
上記壁取付面３２ａ、３２ｂには、取付け穴３３ａ、３３ｂ及び複数のネジ穴３４が設けられる。取付け穴３３ａ、３３ｂは、壁取付面３２ａ、３２ｂの上端近傍において、大径の穴の上部に小径の穴が連続して設けられる。大径の穴は止めネジの頭部の直径より大きく形成され、予め壁に取付けた止めネジの頭部をそれぞれ取付け穴３３ａ、３３ｂに挿入した後、壁面取付金具２８を下方にずらして小径の穴内に止めネジの軸部を位置させることにより、壁面取付金具２８を止めネジにて保持できるようにしている。複数のネジ穴３４は、１対の取付け穴３３ａ、３３ｂの小径部と同程度の大きさであり、壁面取付金具２８を壁面にネジにより固定する際に使用される。
【００２５】
上記壁面取付金具２８の上部ボルト保持部２９ａ及び下部ボルト保持部２９ｂに設けられたボルト穴には、予め例えば下方から固定用ボルト３６が挿入され、上部ボルト保持部２９ａのボルト穴から上方に突出した先端にナット３７が螺着されて固定される。このナット３７は、上部ボルト保持部２９ａの上側に予め溶接等により固定して設けられる。
【００２６】
上記壁面取付金具支持部２７は、上部金具支持板４２ａ及び下部金具支持板４２ｂにそれぞれ設けられた方向調整用ガイド溝４５に、壁面取付金具２８に予め取付けてある固定用ボルト３６が挿入可能であり、挿入後は抜け止め用ゴムによって方向調整用ガイド溝４５から外れないようになっている。
【００２７】
以下、上記壁面取付金具支持部２７の詳細について説明する。
図３は壁面取付金具支持部２７の上部金具支持板４２ａ及び下部金具支持板４２ｂに設けられた方向調整用ガイド溝４５に壁面取付金具２８の固定用ボルト３６を挿入する際の状態を示す斜視図、図４は図３のＡ−Ａ’線矢視断面図である。なお、図３は壁面取付金具２８の右半分を取り除いた状態を示している。
【００２８】
壁面取付金具支持部２７は、例えば合成樹脂により形成されており、基体４１の左右の両側に、略円筒状に形成されたネジ取付部３９が複数設けられる。このネジ取付部３９には、図４に示すように底部にネジ穴４０が形成されている。
【００２９】
また、壁面取付金具支持部２７には、上部金具支持板４２ａ及び下部金具支持板４２ｂが上下に相対向して設けられる。この上部金具支持板４２ａ及び下部金具支持板４２ｂの背面側、すなわちアンテナ本体２０の裏面カバー２２への取付側に中央部を除いて取付板４３ａ、４３ｂが上下及び左右の方向に突出して設けられ、各取付板４３ａ、４３ｂにそれぞれ複数個のネジ穴４４が設けられる。上記壁面取付金具支持部２７は、基体４１に設けられた複数のネジ取付部３９及び取付板４３ａ、４３ｂを利用してアンテナ本体２０の裏面カバー２２に設けられた金具支持部取付面２３ａにネジ止めにより取付けられる。
【００３０】
また、上部金具支持板４２ａ及び下部金具支持板４２ｂの中央部には、金具支持部取付面２３ａと平行するように方向調整用ガイド溝４５が水平に設けられる。この方向調整用ガイド溝４５は、壁面取付金具２８を取付ける側の中央部が開口しており、その開口部４６の幅Ｂが固定用ボルト３６の直径Ｇより十分に大きく設定され、壁面取付金具２８に設けられた固定用ボルト３６が上記開口部４６から方向調整用ガイド溝４５内に挿入可能となっている。また、方向調整用ガイド溝４５は、幅Ａが固定用ボルト３６の直径Ｇより大きく、例えば固定用ボルト３６の直径Ｇの約１．１５倍より大きく形成され、溝内を固定用ボルト３６が円滑に移動できるようになっている。更に、方向調整用ガイド溝４５には、中央の一方の側部、すなわち取付板４３ａ、４３ｂが形成されている側に略半円状のボルト保持部４７ａが設けられると共に、左右の端部に略半円状のボルト保持部４７ｂ、４７ｃが設けられる。上記ボルト保持部４７ａ、４７ｂ、４７ｃは、固定用ボルト３６の直径Ｇより僅かに大きく形成され、固定用ボルト３６が安定して保持され、且つ円滑に回動できるようになっている。
【００３１】
また、方向調整用ガイド溝４５には、ボルト保持部４７ａに対する正面時固定ストッパー４８が設けられると共に、ボルト保持部４７ｂ、４７ｃに対するスライド時固定ストッパー４９ａ、４９ｂが設けられる。正面時固定ストッパー４８は、ボルト保持部４７ａの開口部近傍に弾性力を持たせて設けたもので、ボルト保持部４７ａ内に挿入される固定用ボルト３６に対して所定の圧力を与える。また、スライド時固定ストッパー４９ａ、４９ｂは、基体４１の前面の左右に設けた切起し片によって弾力性を持たせたもので、図４に示すように方向調整用ガイド溝４５を上方から見た場合にボルト保持部４７ｂ、４７ｃの近傍に位置させ、方向調整用ガイド溝４５からボルト保持部４７ｂ、４７ｃ内に挿入される固定用ボルト３６に対して所定の圧力を与える。
【００３２】
また、壁面取付金具支持部２７の前面側には、上部及び下部の金具支持板４２ａ、４２ｂに設けた方向調整用ガイド溝４５の開口部４６の両側にボルト挿入ガイド５１ａ、５１ｂが設けられる。このボルト挿入ガイド５１ａ、５１ｂは、間隔Ｂが固定用ボルト３６の直径Ｇより大きく形成されると共に、ボルト挿入側の角部が円弧をなすように形成され、方向調整用ガイド溝４５への固定用ボルト３６の挿入を容易にしている。
【００３３】
更に、壁面取付金具支持部２７には、上記ボルト挿入ガイド５１ａ、５１ｂの部分において、方向調整用ガイド溝４５の開口部４６の両側に位置するように円柱状のネジ保持部５２ａ〜５２ｄが横方向に所定の間隔で並設される。円柱状のネジ保持部５２ａ〜５２ｄの軸方向には、ネジ溝が形成されている。そして、上記ネジ保持部５２ａ〜５２ｄの前端、すなわち方向調整用ガイド溝４５側には１対の板状の抜け止め用ゴム５３ａ、５３ｂが配置され、一方の抜け止め用ゴム５３ａはゴム固定ネジ５４ａ、５４ｂによってネジ保持部５２ａ、５２ｂに固定され、他方の抜け止め用ゴム５３ｂはゴム固定ネジ５４ｃ、５４ｄによってネジ保持部５２ｃ、５２ｄに固定される。このとき抜け止め用ゴム５３ａ、５３ｂ間は、近接した状態で装着される。また、方向調整用ガイド溝４５の開口部４６に近接して位置するゴム固定ネジ５４ｂ、５４ｃの間隔は、ボルト挿入ガイド５１ａ、５１ｂの間隔Ｂよりも広くなるように、ネジ保持部５２ｂ、５２ｃの位置が設定される。
【００３４】
すなわち、固定用ボルト３６をボルト挿入ガイド５１ａ、５１ｂに沿って方向調整用ガイド溝４５内に挿入する際、抜け止め用ゴム５３ａ、５３ｂは、固定用ボルト３６に押圧されて開口部４６側に変形するが、このとき内側に位置するゴム固定ネジ５４ｂ、５４ｃの頭部外側と接する点を支点Ｐ１として変形する。この支点Ｐ１は、ボルト挿入ガイド５１ａ、５１ｂの内側端より離れており、また、方向調整用ガイド溝４５の開口部４６が固定用ボルト３６の直径Ｇより十分に大きく形成されているので、抜け止め用ゴム５３ａ、５３ｂは方向調整用ガイド溝４５の開口部４６側に大きく変形し、固定用ボルト３６の通過を阻害しない。従って、固定用ボルト３６は抜け止め用ゴム５３ａ、５３ｂ間を通って開口部４６から方向調整用ガイド溝４５内に挿入することが可能となる。
【００３５】
次に、上記方向調整用ガイド溝４５内に挿入された固定用ボルト３６に対する抜け止め用ゴム５３ａ、５３ｂによる抜け止め作用について、図５及び図６を参照して説明する。図５は方向調整用ガイド溝４５に挿入された固定用ボルト３６の抜け止め構造を示す壁面取付金具支持部２７及び壁面取付金具２８の斜視図、図６は図５のＢ−Ｂ’線矢視断面図である。なお、図５は壁面取付金具２８の右半分を取り除いた状態を示している。
【００３６】
壁面取付金具支持部２７の方向調整用ガイド溝４５内に挿入された固定用ボルト３６は、壁面取付金具支持部２７の自重あるいは外部から加えられた力により、方向調整用ガイド溝４５の開口部４６からボルト挿入ガイド５１ａ、５１ｂ間を通って外部に抜け出ようとした場合、抜け止め用ゴム５３ａ、５３ｂによって阻止される。
【００３７】
抜け止め用ゴム５３ａ、５３ｂは、方向調整用ガイド溝４５内に挿入された固定用ボルト３６により外側方向への力が加えられた場合、図６に示すようにボルト挿入ガイド５１ａ、５１ｂの内側端を支点Ｐ２として変形し、内側先端がボルト挿入ガイド５１ａ、５１ｂの間に巻き込まれる。このとき、抜け止め用ゴム５３ａ、５３ｂの厚みをＦ、ボルト挿入ガイド５１ａ、５１ｂの間隔をＢ、固定用ボルト３６の直径をＧとしたとき、抜け止め用ゴム５３ａ、５３ｂの厚みＦを次の（１）式に示す
（間隔Ｂ）−（ボルト径Ｇ）−２Ｆ＜０    ・・・（１）
の関係になるように設定することにより、固定用ボルト３６は抜け止め用ゴム５３ａ、５３ｂが障害となってボルト挿入ガイド５１ａ、５１ｂ間を通過することができない。
【００３８】
これにより方向調整用ガイド溝４５内に挿入された固定用ボルト３６は、抜けが阻止される。
上記の構成において、アンテナ本体２０を家屋の壁面に取付ける場合には、先ず、壁面取付金具２８をアンテナ取付け壁面にネジ止めにより固定する。この場合、壁面取付金具２８には、上側の上部ボルト保持部２９ａと下部ボルト保持部２９ｂとの間に固定用ボルト３６がナット３７により予め取付けられている。
【００３９】
次に、アンテナ本体２０に設けた壁面取付金具支持部２７を壁面取付金具２８の固定用ボルト３６に押し付けて取付ける。すなわち、壁面取付金具支持部２７の高さを壁面取付金具２８の位置に合わせ、上部ボルト保持部２９ａ及び下部ボルト保持部２９ｂに設けたボルト挿入ガイド５１ａ、５１ｂの中央開口部を固定用ボルト３６に押し当てる。このとき方向調整用ガイド溝４５の前側に設けた抜け止め用ゴム５３ａ、５３ｂが固定用ボルト３６に押圧され、図４に示したように抜け止め用ゴム５３ａ、５３ｂがゴム固定ネジ５４ｂ、５４ｃの頭部外側と接する点を支点Ｐ１として方向調整用ガイド溝４５の開口部４６側に変形し、固定用ボルト３６の通過を阻害しない。この結果、固定用ボルト３６は、抜け止め用ゴム５３ａ、５３ｂ間を通って開口部４６から方向調整用ガイド溝４５内に挿入される。固定用ボルト３６が抜け止め用ゴム５３ａ、５３ｂ間を通過して方向調整用ガイド溝４５内に挿入されると、抜け止め用ゴム５３ａ、５３ｂは弾性力によって元の状態に戻る。
【００４０】
上記固定用ボルト３６は、方向調整用ガイド溝４５内に挿入されると、上記したようにボルト挿入ガイド５１ａ、５１ｂ及び抜け止め用ゴム５３ａ、５３ｂ等からなる抜け止め構造により、外に抜け出すことが阻止される。すなわち、方向調整用ガイド溝４５内に挿入された固定用ボルト３６に対し、中央位置で抜け止め用ゴム５３ａ、５３ｂ方向への圧力が加えられた場合、固定用ボルト３６は図６に示すように抜け止め用ゴム５３ａ、５３ｂに内側から圧接する。このとき抜け止め用ゴム５３ａ、５３ｂは、ボルト挿入ガイド５１ａ、５１ｂの内側端を支点Ｐ２として変形し、内側先端がボルト挿入ガイド５１ａ、５１ｂの間に巻き込まれる。この場合、抜け止め用ゴム５３ａ、５３ｂの厚さＦを上記（１）式を満たすように設定することにより、固定用ボルト３６は抜け止め用ゴム５３ａ、５３ｂが障害となってボルト挿入ガイド５１ａ、５１ｂ間を通過することができなくなる。この結果、壁面取付金具支持部２７に対して固定用ボルト３６の抜け止め機能を持たせることができる。
【００４１】
上記壁面取付金具支持部２７の方向調整用ガイド溝４５に差し込んだ固定用ボルト３６は、受信電波の到来方向に合わせて中央のボルト保持部４７ａ、あるいは左右のボルト保持部４７ｂ、４７ｃの何れかにスライドして保持させる。中央のボルト保持部４７ａでは正面時固定ストッパー４８によって固定用ボルト３６を保持し、左右のボルト保持部４７ａ、４７ｂではスライド時固定ストッパー４９ａ、４９ｂによって固定用ボルト３６を保持する。
【００４２】
上記のように壁面取付金具２８に予め取付けた固定用ボルト３６に対し、壁面取付金具支持部２７のボルト挿入ガイド５１ａ、５１ｂ部分を差し込み、固定用ボルト３６を方向調整用ガイド溝４５内に挿入し、挿入後は抜け止め用ゴム５３ａ、５３ｂがストッパーとなって壁面取付金具支持部２７の抜け落ちを阻止する。このため従来のように壁面取付金具支持部２７を壁面取付金具２８に取付ける際、壁面取付金具支持部２７の下方から固定用ボルト３６を差し込んで固定する作業が不要であり、また、壁面取付金具支持部２７を壁面取付金具２８側に差し込んだ後はアンテナ本体２０を手で支える必要もなく、アンテナ本体２０を壁面に容易に取付けることができる。
【００４３】
［アンテナ本体２０の構成例］
次に、アンテナ本体２０の構成例について説明する。
図７〜図１０は地上デジタル放送を受信するアンテナ本体２０の構成例を示し、図７は前面カバー２１に導波素子を組み込んだ状態を示す裏面側斜視図、図８は裏面カバー２２に組み込まれる放射器及び反射器を示す分解斜視図、図９は裏面カバー２２に放射器及び反射器を組み込んだ状態示す斜視図、図１０は前面カバー２１と裏面カバー２２との間の装着過程を示す斜視図である。
【００４４】
前面カバー２１の内側には、図７に示すように導波素子が組み込まれるが、その詳細については後述する。
裏面カバー２２の内側には、図８に示すように第１の放射器６０Ａ、第２の放射器６０Ｂ及び反射器８０が組み込まれる。第１の放射器６０Ａと第２の放射器６０Ｂは、上下方向に所定の間隔で設けられ、２段スタックを構成している。第１の放射器６０Ａ及び第２の放射器６０Ｂは同様の構成であるので、第１の放射器６０Ａの構成について説明する。
【００４５】
第１の放射器６０Ａは、金属板が略Ｈ型形状に形成された結合線路６１の上側及び下側の両端が反射器８０側に所定の長さ折り曲げられ、その折り曲げ先端に上部放射素子６２ａ及び下部放射素子６２ｂが水平方向に設けられる。略Ｈ型形状に形成された結合線路６１は、中央部に所定幅の給電線路６３ａ、６３ｂが水平方向に形成され、その中央位置に所定幅の溝６４が縦方向に設けられている。給電線路６３ａ、６３ｂの相対向する先端中央には、溝６４の両側近傍に給電点６５ａ、６５ｂとなる透孔が設けられる。給電点６５ａ、６５ｂには、反射器８０側に給電端子６６ａが装着され、ネジにより固定される。
【００４６】
また、各給電線路６３ａ、６３ｂには、給電点６５ａ、６５ｂと左右の両側部との間の略中央に複数例えば２つのネジ穴６８、６９が設けられる。第１の放射器６０Ａは、上記ネジ穴６８、６９にネジ７１、７２が挿入され、反射器８０を介して裏面カバー２２に固定される。
【００４７】
第２の放射器６０Ｂは、上記したように第１の放射器６０Ａと同様の構成であり、給電点６５ａ、６５ｂに反射器８０側から給電端子６６ｂが装着され、ネジにより固定される。第２の放射器６０Ｂは、第１の放射器６０Ａと同様に反射器８０を介して裏面カバー２２に取付けられる。
【００４８】
反射器８０は、金属板により裏面カバー２２の内側に収まるように長方形状に形成され、左右の両側部が放射器６０Ａ、６０Ｂ側に所定幅折り曲げられて補助反射部８１ａ、８１ｂを構成している。また、反射器８０は、中央部が裏面カバー２２側に所定幅突出するように折曲げられ、放射器６０Ａ、６０Ｂ側に凹部８２が形成される。更に反射器８０には、一方の側部例えば図示右側の中央部に給電用接栓２５を挿通させるための接栓挿通窓８３が設けられる。裏面カバー２２には、接栓挿通窓８３に対応する位置に接栓取付部２４が外方に突出して設けられており、この接栓取付部２４に給電用接栓２５がネジ８５により取付けられる。接栓取付部２４に取付けられた給電用接栓２５は、上記反射器８０の接栓挿通窓８３から放射器６０Ａ、６０Ｂ側に突出して位置し、その突出端部に給電線８６が接続される。この給電線８６は、給電用接栓２５から反射器８０の中央位置まで水平に配置され、その先端が上下方向に分岐されて第１の放射器６０Ａの給電端子６６ａ及び第２の放射器６０Ｂの給電端子６６ｂに接続される。
【００４９】
上記第１の放射器６０Ａ及び第２の放射器６０Ｂは、反射器８０と共に裏面カバー２２に取付けられる。裏面カバー２２の内側には、前面カバー２１、放射器６０Ａ、６０Ｂ、反射器８０等を取付けるための取付ボス９１複数設けられる。各取付ボス９１には、中心軸に沿ってネジ溝あるいは透孔が設けられている。図９は、裏面カバー２２の内側に設けられた取付ボス９１に対して反射器８０及び放射器６０Ａ、６０Ｂをネジにより取付けた状態を示している。
【００５０】
一方、図７に示すように、前面カバー２１の内側には、上記第１の放射器６０Ａに対する導波器１０１ａ、１０１ｂ及び第２の放射器６０Ｂに対する導波器１１１ａ、１１１ｂが設けられる。導波器１０１ａ、１０１ｂは、絶縁基板１０２上に複数の導波素子１０３を水平に設けたもので、第１の放射器６０Ａの上部放射素子６２ａ、下部放射素子６２ｂに対応する位置に配設される。
【００５１】
また、導波器１１１ａ、１１１ｂは、絶縁基板１１２上に複数の導波素子１１３を水平に設けたもので、第２の放射器６０Ｂの上部放射素子６２ａ、下部放射素子６２ｂに対応する位置に配設される。
【００５２】
上記導波器１０１ａ、１０１ｂ及び導波器１１１ａ、１１１ｂは、複数のボス１０４によって前面カバー２１の内側に取付けられる。
また、前面カバー２１の内側には、複数の取付ボス１０５が設けられる。この取付ボス１０５には、中心軸に沿ってネジ溝が形成されている。
【００５３】
図１０は、アンテナ本体２０の前面カバー２１を裏面カバー２２に装着する際の状態を示している。先ず図９に示したように裏面カバー２２に放射器６０Ａ、６０Ｂ及び反射器８０を組込み、その後、図１０に示すように裏面カバー２２と前面カバー２１を合わせ、裏面カバー２２の背面から前面カバー取付用の複数の取付ボス９１内にそれぞれネジ１０６を挿入し、前面カバー２１に設けられている取付ボス１０５（図７参照）に螺着し、締付けて固定する。
【実施例２】
【００５４】
次に、本発明の実施例２に係るアンテナの取付構造について説明する。この実施例２は、アンテナ本体２０に設けた壁面取付金具支持部２７を壁面取付金具２８に容易に取付けられるように構成したものである。なお、実施例１と同一部分には同一符号を付して詳細な説明は省略する。図１１は本発明の実施例２に係るアンテナの取付構造を示し、（ａ）は壁面に取付けた壁面取付金具に対してアンテナ本体に設けた壁面取付金具支持部を取付ける過程を示す正面図、（ｂ）は同側面図である。図１２は図１１における壁面取付け過程を下方から見た斜視図である。
【００５５】
壁面取付金具２８は、上記したように上部ボルト保持部２９ａ及び下部ボルト保持部２９ｂを備えている。上部ボルト保持部２９ａは、先端側が順次狭くなるように形成される。下部ボルト保持部２９ｂは図１２に示すように略凸型形状をなすように形成され、その先端両側に壁面取付金具支持部２７の方向に所定長さ突出させてなる突出片１２１ａ、１２１ｂが設けられる。この突出片１２１ａ、１２１ｂは、斜め下方に所定角度折り曲げて形成される。壁面取付金具２８は、図１１に示すように上記突出片１２１ａ、１２１ｂを含む下部ボルト保持部２９ｂの長さＷ２を上部ボルト保持部２９ａの長さＷ１より例えば１０ｍｍ程度長く形成している。
【００５６】
一方、壁面取付金具支持部２７には、図１２に示すように下部金具支持板４２ｂの前端下側部に１対の取付けガイド１２２ａ、１２２ｂが設けられると共に、方向調整用ガイド溝４５の後縁側にガイド先端部１２３ａ、１２３ｂが設けられる。このガイド先端部１２３ａ、１２３ｂは、取付けガイド１２２ａ、１２２ｂに対応して位置し、方向調整用ガイド溝４５の後縁に近接する前端側の位置よりも後端側の位置が低くなるように傾斜して設けられる。
【００５７】
上記取付けガイド１２２ａ、１２２ｂは、壁面取付金具支持部２７の下面に対して５ｍｍ程度高い位置で、且つ上記壁面取付金具２８の下部ボルト保持部２９ｂに設けられた突出片１２１ａ、１２１ｂに対応する位置に設けられる。また、取付けガイド１２２ａ、１２２ｂの幅は、突出片１２１ａ、１２１ｂより少し大きい幅に形成される。
【００５８】
そして、上記壁面取付金具支持部２７は、高さＨ２が壁面取付金具２８の上部ボルト保持部２９ａと下部ボルト保持部２９ｂとの間の高さＨ１（内寸）に対して２ｍｍ程度小さく形成される。また、壁面取付金具支持部２７は、取付けガイド１２２ａ、１２２ｂを下面より５ｍｍ程度高い位置に設けているので、取付けガイド１２２ａ、１２２ｂと上端との間の高さＨ３が壁面取付金具２８の高さＨ１（内寸）に対して７ｍｍ程度小さくなっている。
【００５９】
次に上記アンテナ本体２０に設けた壁面取付金具支持部２７を壁面取付金具２８に取付ける手順について図１３及び図１４を参照して説明する。
図１３（ａ）、（ｂ）は図１１（ａ）のＣ−Ｃ’線矢視断面図で、壁面取付金具支持部２７を壁面取付金具２８に取付ける過程を示している。図１４（ａ）〜（ｄ）は壁面取付金具支持部２７を壁面取付金具２８に取付ける過程を示し、壁面取付金具支持部２７及び壁面取付金具２８部分を拡大して示す断面図である。
【００６０】
壁面取付金具２８は、固定用ボルト３６を取付けた状態で壁面３０に予め取付けておく。そして、図１３（ａ）に示すようにアンテナ本体２０に設けた壁面取付金具支持部２７を壁面取付金具２８に対して斜め上方から差し込むが、先ず図１３（ｂ）に示すように壁面取付金具支持部２７の下側前端部に設けた取付けガイド１２２ａ、１２２ｂを壁面取付金具２８の下部ボルト保持部２９ｂに設けられている突出片１２１ａ、１２１ｂ上に載置する。このとき壁面取付金具支持部２７の上部先端と壁面取付金具２８の上部ボルト保持部２９ａとの間には、Ｄ１（約７ｍｍ）分の隙間ができる。
【００６１】
この状態で、図１４（ａ）に示すようにアンテナ本体２０及び壁面取付金具支持部２７を壁面取付金具２８に向かって押し込む。壁面取付金具支持部２７を押すと、図１４（ｂ）に示すように壁面取付金具支持部２７の取付けガイド１２２ａ、１２２ｂと壁面取付金具２８の下部ボルト保持部２９ｂの先端に斜めに設けられている突出片１２１ａ、１２１ｂが干渉し、壁面取付金具支持部２７が斜め上方に持ち上げられて壁面取付金具２８内に挿入される。
【００６２】
上記壁面取付金具支持部２７が壁面取付金具２８の内側に入った後も図１４（ｃ）に示すようにアンテナ本体２０及び壁面取付金具支持部２７を矢印方向に押すことで、図１４（ｄ）に示すように壁面取付金具支持部２７を円滑に壁面取付金具２８にセットすることができる。この場合、壁面取付金具２８に取付けられた固定用ボルト３６は、図３及び図４に示したように壁面取付金具支持部２７の中央部に設けられた開口部４６を通って方向調整用ガイド溝４５内に挿入される。その後、固定用ボルト３６で壁面取付金具２８を締付け、壁面取付金具支持部２７を固定する。
【００６３】
上記実施例２では、壁面取付金具２８の下部ボルト保持部２９ｂの先端に突出片１２１ａ、１２１ｂを設けると共に、壁面取付金具支持部２７の下側前端部に取付けガイド１２２ａ、１２２ｂを設けているので、アンテナ本体２０を壁面取付金具２８に取付ける際、アンテナ本体２０によって壁面取付金具２８が目視しにくい状態となっても、取付けガイド１２２ａ、１２２ｂによってアンテナ本体２０の壁面取付金具支持部２７を斜め上から壁面取付金具２８内に容易に差し込むことが可能となり、アンテナ本体２０を壁面３０に容易に且つ確実に取付けることができる。
【実施例３】
【００６４】
次に、本発明の実施例３に係るアンテナの取付構造について説明する。この実施例３は、アンテナの取付構造における方向調整機構の詳細を示したもので、実施例１、２と同一部分には同一符号を付して詳細な説明は省略する。図１５は本発明の実施例３に係るアンテナの取付構造を示す背面側斜視図である。なお、図１５はアンテナの向きを正面方向に固定したときの状態を示している。図１６（ａ）は実施例３における壁面取付金具支持部の上側半分を示す背面図（裏面カバー取付け側）、図１６（ｂ）は図１５における壁面取付装置のＤ−Ｄ’断面図である。
【００６５】
図１６（ｂ）に示すように壁面取付金具支持部２７は、方向調整用ガイド溝４５を備えている。この方向調整用ガイド溝４５は、実施例１で説明したように壁面取付金具支持部２７の上部及び下部の金具支持板４２ａ、４２ｂの長手方向に沿って設けられる。また、方向調整用ガイド溝４５は、幅Ａが固定用ボルト３６の直径Ｇより大きく、例えば固定用ボルト３６の直径Ｇの約１．１５倍より大きく形成され、溝内を固定用ボルト３６が円滑に移動できるようになっている。上記方向調整用ガイド溝４５には、中央及び両側に略半円状のボルト保持部４７ａ〜４７ｃが設けられる。ボルト保持部４７ａは方向調整用ガイド溝４５の背面側（裏面カバー２２側）中央に設けられ、ボルト保持部４７ｂ、４７ｃは方向調整用ガイド溝４５の両側部に設けられる。壁面取付金具支持部２７の基体４１には、ボルト保持部４７ａに挿入される固定用ボルト３６に対する正面時固定ストッパー４８が設けられると共に、ボルト保持部４７ｂ、４７ｃに挿入される固定用ボルト３６に対するスライド時固定ストッパー４９ａ、４９ｂが設けられる。正面時固定ストッパー４８は、壁面取付金具支持部２７を構成する基体４１の略中央部において、ボルト保持部４７ａの開口部近傍に対応する領域内に所定長さ突出するように弾性力を持たせて設けられ、ボルト保持部４７ａ内に挿入される固定用ボルト３６に圧接して該固定用ボルト３６の位置を保持する。また、スライド時固定ストッパー４９ａ、４９ｂは、基体４１の両側中央部近傍において、ボルト保持部４７ｂ、４７ｃに対応する領域内に所定長さ突出するように弾性力を持たせて設けられ、ボルト保持部４７ｂ、４７ｃ内に挿入される固定用ボルト３６に圧接して該固定用ボルト３６の位置を保持する。
【００６６】
上記の構成において、アンテナ本体２０の方向調整は、壁面取付金具支持部２７に設けた方向調整用ガイド溝４５内で固定用ボルト３６をスライドしてボルト保持部４７ａ〜４７ｃの何れかにセットし、このボルト保持部４７ａ〜４７ｃ内で固定用ボルト３６を軸として回動することにより行う。
【００６７】
アンテナ本体２０の方向を０度（正面）方向に設定する場合には、固定用ボルト３６を緩めた状態で方向調整用ガイド溝４５内をスライドし、中央位置にあるボルト保持部４７ａに正面時固定ストッパー４８を一度乗り越えてセットする。このとき固定用ボルト３６は、正面時固定ストッパー４８のバネ効果により、ボルト保持部４７ａに保持される。その後、固定用ボルト３６を締付けて壁面取付金具支持部２７と壁面取付金具２８とを固定する。固定用ボルト３６をボルト保持部４７ａにセットした場合には、アンテナ本体２０は０度の方向に固定される。
【００６８】
次にアンテナ本体２０を０度〜（＋）６０度の方向に向ける場合について、図１７及び図１８を参照して説明する。図１７は固定用ボルト３６を方向調整用ガイド溝４５のボルト保持部４７ｃセットしたときの状態を示し、（ａ）はアンテナ本体２０を０度方向に向けたときのアンテナ背面側斜視図、（ｂ）はアンテナ本体２０を（＋）６０度方向に向けたときの背面側斜視図である。図１８は図１７（ａ）のＥ−Ｅ’断面図である。
【００６９】
アンテナ本体２０を０度〜（＋）６０度の方向に向ける場合には、図１７及び図１８に示すように固定用ボルト３６を方向調整用ガイド溝４５内でスライドし、アンテナ本体２０を正面方向から見て左側に移動し、ボルト保持部４７ｃにスライド時固定ストッパー４９ｂを一度乗り越えてセットする。固定用ボルト３６は、スライド時固定ストッパー４９ｂのバネ効果により、ボルト保持部４７ｃに保持される。この状態で、固定用ボルト３６を軸としてアンテナ本体２０の方向を調整する。固定用ボルト３６をボルト保持部４７ｃにセットした場合には、アンテナ本体２０を０度方向から反時計方向に回動しようとすると壁面取付金具支持部２７が壁面取付金具２８に当接してしまうが、時計方向に回動する際には（＋）６０度の位置まで回動することが可能である。従って、上記のように固定用ボルト３６をボルト保持部４７ｃにセットした場合には、アンテナ本体２０の方向を０度〜（＋）６０度の範囲で調整することができる。アンテナ本体２０の方向を調整した後、固定用ボルト３６を締付けて壁面取付金具支持部２７と壁面取付金具２８とを固定する。
【００７０】
また、アンテナ本体２０を０度〜（−）６０度の方向に向ける場合には、図１７及び図１８において固定用ボルト３６を方向調整用ガイド溝４５内でスライドし、アンテナ本体２０を正面方向から見て右側に移動し、ボルト保持部４７ｂにスライド時固定ストッパー４９ａを一度乗り越えてセットする。固定用ボルト３６は、スライド時固定ストッパー４９ａのバネ効果により、ボルト保持部４７ｂに保持される。この状態で、固定用ボルト３６を軸としてアンテナ本体２０の方向を調整する。固定用ボルト３６をボルト保持部４７ｂにセットした場合には、アンテナ本体２０を０度方向から時計方向に回動しようとすると壁面取付金具支持部２７が壁面取付金具２８に当接してしまうが、反時計方向に回動する際には（−）６０度の位置まで回動することが可能である。従って、固定用ボルト３６をボルト保持部４７ｃにセットした場合には、アンテナ本体２０の方向を０度〜（−）６０度の範囲で調整することができる。方向調整後は、固定用ボルト３６を締付けて壁面取付金具支持部２７と壁面取付金具２８とを固定する。
【００７１】
上記のように固定用ボルト３６を方向調整用ガイド溝４５内でスライドし、ボルト保持部４７ａ〜４７ｃにセットすることにより、アンテナ本体２０の方向を広範囲、例えば（−）６０度〜（＋）６０度の範囲で調整することができる。また、固定用ボルト３６を方向調整用ガイド溝４５の中央に位置するボルト保持部４７ａにセットした場合には、ボルト保持部４７ａが他のボルト保持部４７ｂ、４７ｃより裏面カバー２２側に近接して設けられているので、アンテナ本体２０を壁面３０に対してより薄く取付けることが可能である。また、方向調整用ガイド溝４５の幅Ａを固定用ボルト３６の直径に対して約１．１５倍以上に設定することにより、固定用ボルト３６を方向調整用ガイド溝４５内で円滑に移動することが可能である。
【実施例４】
【００７２】
次に、本発明の実施例４に係るアンテナの取付構造について説明する。この実施例４は、アンテナ本体を室内スタンド、壁面、マストの何れにも取付け可能としたアンテナの取付構造について示したものである。なお、実施例１〜３と同一部分には同一符号を付して詳細な説明は省略する。
【００７３】
図１９は本発明の実施例４に係るアンテナの取付構造の構成例を示したもので、（ａ）はアンテナ本体２０の前面側斜視図、（ｂ）はアンテナ本体２０の裏面側斜視図、（ｃ）はマスト受部２６を拡大して示す斜視図である。図１９に示すようにアンテナ本体２０は、前面カバー２１及び裏面カバー２２からなるケース本体内にアンテナ素子を備えている。
【００７４】
裏面カバー２２の底面には、室内スタンド取付部１３１が設けられる。この室内スタンド取付部１３１は、複数例えば３つの係合部１３２ａ〜１３２ｃが所定の間隔で平行に設けられる。この係合部１３２ａ〜１３２ｃは、例えば前後方向から見て略コの字形に形成され、内側が裏面カバー２２の前後方向に貫通している。また、係合部１３２ａ〜１３２ｃの内側貫通口の横幅は、中央に位置する係合部１３２ｂの幅が両側の係合部１３２ａ、１３２ｂより広く形成される。
【００７５】
上記裏面カバー２２の背面には、実施例１で説明したように部品取付面２３の中央にマスト受部２６が一体に設けられている。このマスト受部２６には、図１９（ｃ）に示すように、前面中央部に第１のマスト取付溝５６ａが垂直方向（上下方向）に設けられると共に、第２のマスト取付溝５６ｂが水平方向に設けられる。すなわち、２つのマスト取付溝５６ａ、５６ｂを交差させて設け、水平・垂直、双方の偏波の受信に対応する取付けを可能としている。
【００７６】
また、マスト受部２６には、後述するマストバンドをボルトにより取付ける３つのマストバンド取付部５７ａ〜５７ｃが設けられる。マストバンド取付部５７ａ、５７ｂは、第１のマスト取付溝５６ａの両側部に位置するように所定の間隔で設けられる。また、マストバンド取付部５７ａ、５７ｃは、第２のマスト取付溝５６ｂの両側部に位置するように所定の間隔で上下方向に設けられる。すなわち、マストバンド取付部５７ａ、５７ｂ間あるいはマストバンド取付部５７ａ、５７ｃ間にマストバンドを装着することにより、マスト取付溝５６ａ、５６ｂの何れに対してもマストを取付けられるように構成している。
【００７７】
［室内スタンドの取付け］
上記のように構成されたアンテナ本体２０を室内アンテナとして使用する場合は、図２０及び図２１に示すようにアンテナ本体２０に室内スタンド１３５を取付けて使用する。
【００７８】
図２０はアンテナ本体２０に設けた室内スタンド取付部１３１に室内スタンド１３５を取付けた状態を示したもので、（ａ）は前面側斜視図、（ｂ）は背面側斜視図である。図２１（ａ）〜（ｃ）はアンテナ本体２０に室内スタンド１３５を取付ける室内スタンド取付手順を示す図である。
【００７９】
室内スタンド１３５は、合成樹脂により略四角形状に形成したもので、中央部に略長方形状の取付穴１３６ａ〜１３６ｃが設けられる。この取付穴１３６ａ〜１３６ｃは、アンテナ本体２０に設けた室内スタンド取付部１３１に対応して平行に、且つ室内スタンド取付部１３１の係合部１３２ａ〜１３２ｃを挿入できる大きさに形成される。上記取付穴１３６ａ〜１３６ｃの部分には、図２１に示すように上記室内スタンド取付部１３１の係合部１３２ａ〜１３２ｃと係合する係合片１３７ａ〜１３７ｃが設けられる。この係合片１３７ａ〜１３７ｃは、室内スタンド取付部１３１に設けられた係合部１３２ａ〜１３２ｃの内側貫通口内に挿入できる大きさに形成される。また、中央に位置する係合部１３２ｂの先端には、下方向に突出する係合ロック用の爪１３８が設けられる。
【００８０】
そして、上記アンテナ本体２０を室内スタンド１３５に取付ける場合は、図２１（ａ）に示すようにアンテナ本体２０に設けた室内スタンド取付部１３１を室内スタンド１３５の取付穴１３６ａ〜１３６ｃに上から差し込み、同図（ｂ）に示すように室内スタンド１３５を矢印で示すようにアンテナ本体２０の背面方向にスライドし、室内スタンド取付部１３１に押し込む。このとき図２１（ｃ）に示すように、室内スタンド１３５の係合片１３７ａ〜１３７ｃが室内スタンド取付部１３１の係合部１３２ａ〜１３２ｃの内側貫通口内に挿入され、中央に位置する係合片１３７ｂの先端に形成されている爪１３８が係合部１３２ｂの内側貫通口先端から外方に突出し、係合片１３７ｂと係合部１３２ｂとの間をロックする。
【００８１】
上記のようにアンテナ本体２０に設けた室内スタンド取付部１３１を室内スタンド１３５の取付穴１３６ａ〜１３６ｃに差し込んでスライドさせるだけで、アンテナ本体２０に室内スタンド１３５を容易に取付けることができる。なお、アンテナ本体２０から室内スタンド１３５を取外す場合は、室内スタンド１３５の係合片１３７ｂに形成されている爪１３８を押して係合片１３７ｂと係合部１３２ｂとの間のロック状態を解除することにより、室内スタンド１３５の取外しが可能となる。
【００８２】
［マストへの取付け］
次にアンテナ本体２０をマストに取付けて使用する場合について、図２２を参照して説明する。図２２はアンテナ本体２０をマスト１４１に取付けて使用する場合の例を示し、（ａ）は水平偏波を受信する場合のマスト取付状態を示す背面側斜視図、（ｂ）は垂直偏波を受信する場合のマスト取付状態を示す背面側斜視図である。
【００８３】
水平偏波を受信する場合には、図２２（ａ）に示すようにアンテナ本体２０が縦長の状態となるようにマスト１４１を取付ける。すなわち、図１９（ｂ）に示したマスト受部２６の第１のマスト取付溝５６ａにマスト１４１を位置させ、第１のマスト取付溝５６ａの両側に設けられているマストバンド取付部５７ａ、５７ｂを利用してマストバンド１４２を取付ける。このマストバンド１４２は、金属板を例えば長方形状に形成したもので、両側部に設けたボルト穴内にボルト１４３ａ、１４３ｂを挿着している。また、マストバンド１４２には、内側すなわちマスト１４１に接する側に円弧状の溝が形成されている。上記マストバンド１４２は、マスト受部２６に対してマスト１４１を間に挟んで対向配置し、ボルト１４３ａ、１４３ｂを上記マスト受部２６のマストバンド取付部５７ａ、５７ｂに螺着し、締付けて固定する。
【００８４】
また、垂直偏波を受信する場合は、図２２（ｂ）に示すようにアンテナ本体２０を横長、すなわち、水平偏波の状態から９０度回転させて横長の状態となるようにマスト１４１を取付ける。この場合には、図１９（ｂ）に示したマスト受部２６の第２のマスト取付溝５６ｂにマスト１４１を位置させると共に、マスト受部２６に対してマスト１４１を間に挟んで対向配置し、ボルト１４３ａ、１４３ｂをマスト受部２６のマストバンド取付部５７ａ、５７ｃに螺着し、締付けて固定する。
【００８５】
上記のようにアンテナ本体２０をマスト１４１に取付ける場合、水平・垂直、双方の偏波の受信に対応する取付けが可能である。
［壁面への取付け］
次にアンテナ本体２０を壁面に取付けて使用する場合について説明する。アンテナ本体２０を壁面に取付ける場合には、図２３に示すようにアンテナ本体２０の裏面カバー２２に設けた金具支持部取付面２３ａに壁面取付金具支持部２７を複数のネジ１５１により取付けて使用する。図２３はアンテナ本体２０を壁面に取付ける際のアンテナの取付構造を示す分解斜視図である。水平偏波を受信する場合には、壁面取付金具支持部２７の上部及び下部の金具支持板４２ａ、４２ｂに設けられている方向調整用ガイド溝４５がアンテナ本体２０の長手方向に位置するように壁面取付金具支持部２７をアンテナ本体２０の裏面カバー２２に設けられている金具支持部取付面２３ａに複数のネジ１５１により取付ける。
【００８６】
アンテナ本体２０の金具支持部取付面２３ａに壁面取付金具支持部２７を取付けることにより、実施例１で説明したように壁面に取付けた壁面取付金具２８に対し、壁面取付金具支持部２７を介してアンテナ本体２０を取付けることができる。
【００８７】
また、垂直偏波を受信する場合には、アンテナ本体２０の裏面カバー２２に設けられた金具支持部取付面２３ａに壁面取付金具支持部２７を取付ける際、図２４に示すように上記水平偏波受信時の状態から９０度回転させて取付ける。図２４は垂直偏波受信時における壁面取付状態を示す斜視図である。そして、壁面３０に取付けた壁面取付金具２８に対し、アンテナ本体２０を水平偏波受信時の状態から９０度回転させ、横長の状態で壁面取付金具支持部２７に取付ける。この垂直偏波受信時においても、上記実施例３で説明した水平偏波受信時と同様に、固定用ボルト３６を方向調整用ガイド溝４５内で移動させてボルト保持部４７ａ〜４７ｃの何れかにセットし、そのボルト保持部４７ａ〜４７ｃで固定用ボルト３６を軸としてアンテナ本体２０を回動することにより、アンテナ本体２０の方向を（−）９０度〜（＋）９０度の範囲で調整することができる。
【００８８】
［ベランダ格子角柱部への取付け］
次にアンテナ本体２０をベランダ格子角柱部へ取付けて使用する場合について、図２５を参照して説明する。図２５はアンテナ本体２０をベランダ格子１５５の角柱部１５６へ取付けて水平偏波を受信する場合のアンテナ取付け状態を示す斜視図である。アンテナ本体２０をベランダ格子１５５の角柱部１５６へ取付ける場合には、図２３に示した壁面取付時と同様にアンテナ本体２０の裏面カバー２２に設けた金具支持部取付面２３ａに壁面取付金具支持部２７を取付けて使用する。
【００８９】
アンテナ本体２０をベランダ格子１５５の角柱部１５６に取付ける場合、先ず壁面取付金具２８の溝３１部分とマストバンド１４２でベランダ格子１５５の角柱部１５６を挟み、ボルト１４３ａ、１４３ｂにより壁面取付金具２８及びマストバンド１４２を角柱部１５６に固定する。このとき壁面取付金具２８は、ベランダ格子１５５の外側に位置するように角柱部１５６に取付ける。その後、上記実施例１、２の場合と同様にアンテナ本体２０に取付けた壁面取付金具支持部２７を壁面取付金具２８に取付ける。このとき上記実施例３で説明したように、固定用ボルト３６を方向調整用ガイド溝４５内で移動させてボルト保持部４７ａ〜４７ｃの何れかにセットし、そのボルト保持部４７ａ〜４７ｃで固定用ボルト３６を軸としてアンテナ本体２０を回動することにより、アンテナ本体２０の方向を（−）６０度〜（＋）６０度の範囲で調整することができる。
【００９０】
また、垂直偏波を受信する場合には、アンテナ本体２０の裏面カバー２２に設けられた金具支持部取付面２３ａに壁面取付金具支持部２７を取付ける際、図２５に示した水平偏波受信時の状態から時計方向または反時計方向に９０度回転させて取付ける。これによりアンテナ本体２０を横長の状態でベランダ格子１５５の角柱部１５６へ取付けることができ、垂直偏波を受信することができる。
【００９１】
上記実施例４で示したようにそれぞれの設置方法に応じてアンテナ本体２０に対して部品の取付けを可能とすることにより、その設置方法に対して不必要な部品を除くことができる。この結果、設置方法に応じた原価とすることができ、必要に応じて安価に製品を提供することができる。
【００９２】
また、上記複数の設置方法を１つのアンテナ本体２０で実現することが可能であり、アンテナ本体２０を構成する前面カバー２１や裏面カバー２２等を成型する金型費用を抑えることが可能である。
【実施例５】
【００９３】
次に、本発明の実施例５に係るアンテナの取付構造について説明する。この実施例５は、上記実施例４と同様にアンテナ本体を室内スタンド、壁面、マストの何れにも取付け可能に構成したものである。なお、実施例１〜４と同一部分には同一符号を付して詳細な説明は省略する。
【００９４】
図２６及び図２７は、この実施例５に係るアンテナの取付構造を示したもので、図２６は背面側斜視図、図２７（ａ）は背面図、同図（ｂ）は右側面図、同図（ｃ）は底面図である。
【００９５】
アンテナ本体２０を構成する合成樹脂製の裏面カバー２２には、略中央部にマスト受部２６が一体に設けられると共に、金具支持部取付面２３ａに壁面取付金具支持部２７が取付けられる。上記マスト受部２６には、例えば背面側から見て右下側部に接栓取付部２４を形成し、この接栓取付部２４に給電用接栓２５を設けている。上記各実施例１〜４では部品取付面２３の左側中央位置に接栓取付部２４を形成していたが、この接栓取付部２４をマスト受部２６内に形成することにより、マスト受部２６を大きく形成して強固な構成とすることができる。
【００９６】
また、裏面カバー２２の両側部に沿って補強用凹凸１６１を形成し、裏面カバー２２の強度を補強している。
更に、裏面カバー２２の底面には、上記実施例４で示したように複数例えば３つの係合部１３２ａ〜１３２ｃからなる室内スタンド取付部１３１が設けられる。
【００９７】
［アンテナの方向調整］
また、上記壁面取付金具支持部２７は、実施例３における図１６に示したように固定用ボルト３６を緩めた状態で方向調整用ガイド溝４５内をスライドさせ、ボルト保持部４７ａ〜４７ｃの何れかにセットし、固定用ボルト３６を締付けることにより、アンテナ本体２０を固定するように構成されている。この場合、固定用ボルト３６を中央のボルト保持部４７ａにセットした場合、実施例３では壁面取付金具支持部２７に対して壁面取付金具２８を回動できないように構成し、アンテナ本体２０の方向が０度（正面）方向に固定的に設定されるようにしているのに対し、実施例５では固定用ボルト３６をボルト保持部４７ａにセットした状態において、壁面取付金具２８の壁取付面３２ａ、３２ｂと壁面取付金具支持部２７との間に一定の間隔を設け、壁面取付金具支持部２７に対して壁面取付金具２８を所定角度回転できるように、すなわちアンテナ本体２０の方向を正面に対して例えば±１０度の範囲で調整できるように構成している。
【００９８】
［固定用ボルトの抜け止め構造］
更に壁面取付金具支持部２７には、方向調整用ガイド溝４５に挿入した固定用ボルト３６に対する抜け止め構造が設けられる。この固定用ボルト３６の抜け止め構造は、図２８に示すように実施例１の図３〜図６に示したものとは異なる構成となっている。
【００９９】
図２８（ａ）は実施例５に係る固定用ボルトの抜け止め構造を備えた壁面取付金具支持部２７の構成を示す斜視図、同図（ｂ）は同図（ａ）のＦ−Ｆ’線矢視断面図、同図（ｃ）は抜け止め用ゴムを取出して示す斜視図である。
【０１００】
壁面取付金具支持部２７の上部金具支持板４２ａには、方向調整用ガイド溝４５の開口部４６の両側に抜け止め用ゴム挿入窓１６２ａ、１６２ｂが形成され、この抜け止め用ゴム挿入窓１６２ａ、１６２ｂの部分に抜け止め用ゴム装着部１６３ａ、１６３ｂが設けられる。この抜け止め用ゴム装着部１６３ａ、１６３ｂは、上面から見て略コの字形状に形成され、一対の抜け止め用ゴム１６４ａ、１６４ｂを抜け止め用ゴム挿入窓１６２ａ、１６２ｂから装着できるようになっている。
【０１０１】
抜け止め用ゴム１６４ａ、１６４ｂは、図２８（ｃ）に示すように板状の本体部の外側端が内側方向に略Ｕ字状に折り曲げられ、相対向する内側端にそれぞれ所定長さのアーム１６５ａ、１６５ｂ、１６６ａ、１６６ｂが所定の間隔で形成される。一方の抜け止め用ゴム１６４ａに形成されるアーム１６５ａ、１６５ｂと、他方の抜け止め用ゴム１６４ｂに形成されるアーム１６６ａ、１６６ｂは、異なる高さで且つ内側方向に湾曲して設けられ、交互に交差するようになっている。抜け止め用ゴム１６４ａに形成されるアーム１６５ａ、１６５ｂ及び抜け止め用ゴム１６４ｂに形成されるアーム１６６ａ、１６６ｂは、先端がそれぞれ他方の抜け止め用ゴム、１６４ｂ、１６４ａの本体部分まで延在される。
【０１０２】
上記のように構成された抜け止め用ゴム１６４ａ、１６４ｂは、上部金具支持板４２ａに設けられた抜け止め用ゴム挿入窓１６２ａ、１６２ｂから抜け止め用ゴム装着部１６３ａ、１６３ｂに圧入され、Ｕ字状に形成された部分が抜け止め用ゴム装着部１６３ａ、１６３ｂのコの字形状の溝部分に装着される。このとき抜け止め用ゴム１６４ａ、１６４ｂのアーム１６５ａ、１６５ｂ、１６６ａ、１６６ｂは、方向調整用ガイド溝４５側に湾曲し、互いに交差した状態で方向調整用ガイド溝４５の開口部４６に位置している。また、抜け止め用ゴム１６４ａ、１６４ｂのアーム１６５ａ、１６５ｂ、１６６ａ、１６６ｂを除く本体部の間隔は、固定用ボルト３６の直径より大きく設定される。
【０１０３】
また、壁面取付金具支持部２７の下部金具支持板４２ｂにおいても、上部金具支持板４２ａと同様に抜け止め用ゴム挿入窓１６２ａ、１６２ｂ及び抜け止め用ゴム装着部１６３ａ、１６３ｂが設けられ、この抜け止め用ゴム装着部１６３ａ、１６３ｂに一対の抜け止め用ゴム１６４ａ、１６４ｂが装着される。
【０１０４】
上記抜け止め用ゴム装着部１６３ａ、１６３ｂに装着された抜け止め用ゴム１６４ａ、１６４ｂのアーム１６５ａ、１６５ｂ、１６６ａ、１６６ｂは、固定用ボルト３６が外側から圧接すると内側方向に変形して固定用ボルト３６の通過を可能とし、固定用ボルト３６が内側から圧接した場合にはアーム１６５ａ、１６５ｂ、１６６ａ、１６６ｂの先端が互いに他方の抜け止め用ゴム装着部１６３ｂ、１６３ａの本体部に当接して外側方向への変形が不能となり、固定用ボルト３６の通過を阻止するように作用する。
【０１０５】
次に上記抜け止め用ゴム１６４ａ、１６４ｂの作用について、図２９及び図３０を参照して説明する。
図２９（ａ）は壁面取付金具支持部２７の金具支持板４２ａ、４２ｂに設けられた方向調整用ガイド溝４５に壁面取付金具２８の固定用ボルト３６を挿入する際の状態を示す斜視図、同図（ｂ）は同図（ａ）のＧ−Ｇ’線矢視断面図、同図（ｃ）は固定用ボルト挿入時の抜け止め用ゴムの変形状態を示す斜視図である。図３０（ａ）は方向調整用ガイド溝４５に挿入された固定用ボルト３６の抜け止め構造を示す壁面取付金具支持部２７及び壁面取付金具２８の斜視図、同図（ｂ）は同図（ａ）のＨ−Ｈ’線矢視断面図、同図（ｃ）は抜け止め用ゴムの構成を示す斜視図である。なお、図２９（ａ）及び図３０（ａ）は壁面取付金具２８の右半分を取り除いた状態を示している。
【０１０６】
予め壁面に固定した壁面取付金具２８に対し、アンテナ本体２０に設けた壁面取付金具支持部２７を取付ける場合、壁面取付金具支持部２７に設けられた方向調整用ガイド溝４５の開口部４６を壁面取付金具２８の固定用ボルト３６に押し付けて取付ける。このとき図２９（ａ）〜（ｃ）に示すように、抜け止め用ゴム装着部１６３ａ、１６３ｂに装着された抜け止め用ゴム１６４ａ、１６４ｂは、アーム１６５ａ、１６５ｂ、１６６ａ、１６６ｂの外側に固定用ボルト３６が圧接する。アーム１６５ａ、１６５ｂ、１６６ａ、１６６ｂは、固定用ボルト３６が外側から圧接することにより、図２９（ｂ）、（ｃ）に示すように内側方向に変形し、略９０°折れ曲がって固定用ボルト３６の通過が可能となる。この状態で、固定用ボルト３６は、アーム１６５ａ、１６５ｂとアーム１６６ａ、１６６ｂの間を通り、方向調整用ガイド溝４５内に挿入される。
【０１０７】
方向調整用ガイド溝４５内に挿入された固定用ボルト３６は、壁面取付金具支持部２７の自重あるいは外部から加えられた力により、方向調整用ガイド溝４５の開口部４６からボルト挿入ガイド５１ａ、５１ｂ間を通って外部に抜け出ようとした場合、抜け止め用ゴム１６４ａ、１６４ｂのアーム１６５ａ、１６５ｂ、１６６ａ、１６６ｂに当接して阻止される。
【０１０８】
抜け止め用ゴム１６４ａ、１６４ｂのアーム１６５ａ、１６５ｂ、１６６ａ、１６６ｂは、方向調整用ガイド溝４５内に挿入された固定用ボルト３６により内側から外側方向への力が加えられた場合、図３０（ｂ）、（ｃ）に示すようにアーム１６５ａ、１６５ｂ、１６６ａ、１６６ｂの先端が互いに他方の抜け止め用ゴム装着部１６３ｂ、１６３ａの本体部に当接して外側方向への変形が不能となり、固定用ボルト３６の通過を阻止する。
【０１０９】
上記のように壁面に固定した壁面取付金具２８に対して壁面取付金具支持部２７を取付ける際、壁面取付金具２８の固定用ボルト３６を壁面取付金具支持部２７の方向調整用ガイド溝４５に一旦挿入すると、挿入後は抜け止め用ゴム１６４ａ、１６４ｂがストッパーとなって壁面取付金具支持部２７の抜け落ちを阻止する。このため実施例１と同様に壁面取付金具２８に対する壁面取付金具支持部２７の取付けを容易にし、アンテナ本体２０を壁面に容易に取付けることができる。
【０１１０】
実施例１に示した固定用ボルト３６の抜け止め構造は、図３及び図４に示したように１対の板状の抜け止め用ゴム５３ａ、５３ｂをゴム固定ネジ５４ａ〜５４ｄによってネジ保持部５２ａ〜５２ｄに固定しているのに対し、この実施例５に示す固定用ボルト３６の抜け止め構造は、抜け止め用ゴム１６４ａ、１６４ｂを抜け止め用ゴム装着部１６３ａ、１６３ｂに圧入するだけで装着でき、抜け止め用ゴム１６４ａ、１６４ｂの装着作業を容易に且つ迅速に行うことができる。
【０１１１】
なお、本発明は、上記実施の形態そのままに限定されるものではなく、実施段階ではその要旨を逸脱しない範囲で構成要素を変形して具体化できるものである。
【符号の説明】
【０１１２】
２０…アンテナ本体、２１…前面カバー、２２…裏面カバー、２３…部品取付面、２３ａ…金具支持部取付面、２４…接栓取付部、２５…給電用接栓、２６…マスト受部、２７…壁面取付金具支持部、２８…壁面取付金具、２９ａ…上部ボルト保持部、２９ｂ…下部ボルト保持部、３０…壁面、３１…溝、３２ａ、３２ｂ…壁取付面、３３ａ、３３ｂ…取付け穴、３４…ネジ穴、３６…固定用ボルト、３７…ナット、３９…ネジ取付部、４０…ネジ穴、４１…基体、４２ａ、４２ｂ…金具支持板、４３ａ、４３ｂ…取付板、４４…ネジ穴、４５…方向調整用ガイド溝、４６…開口部、４７ａ〜４７ｃ…ボルト保持部、４８…正面時固定ストッパー、４９ａ、４９ｂ…スライド時固定ストッパー、５１ａ、５１ｂ…ボルト挿入ガイド、５２ａ〜５２ｄ…ネジ保持部、５３ａ、５３ｂ…抜け止め用ゴム、５４ａ〜５４ｄ…ゴム固定ネジ、５６ａ、５６ｂ…マスト取付溝、５７ａ〜５７ｃ…マストバンド取付部、６０Ａ…第１の放射器、６０Ｂ…第２の放射器、６１…結合線路、６２ａ…上部放射素子、６２ｂ…下部放射素子、６３ａ、６３ｂ…給電線路、６４…溝、６５ａ、６５ｂ…給電点、６６ａ、６６ｂ…給電端子、６８、６９…ネジ穴、７１、７２…ネジ、８０…反射器、８１ａ、８１ｂ…補助反射部、８２…凹部、８３…接栓挿通窓、８５…ネジ、８６…給電線、９１…取付ボス、１０１ａ、１０１ｂ…導波器、１０２…絶縁基板、１０３…導波素子、１０４…ボス、１０５…取付ボス、１０６…ネジ、１１１ａ．１１１ｂ…導波器、１１２…絶縁基板、１１３…導波素子、１２１ａ、１２１ｂ…突出片、１２２ａ、１２２ｂ…取付けガイド、１２３ａ、１２３ｂ…ガイド先端部、１３１…室内スタンド取付部、１３２ａ〜１３２ｃ…係合部、１３５…室内スタンド、１３６ａ〜１３６ｃ…取付穴、１３７ａ〜１３７ｃ…係合片、１３８…爪、１４１…マスト、１４２…マストバンド、１４３ａ、１４３ｂ…ボルト、１５１…ネジ、１５５…ベランダ格子、１５６…ベランダ格子の角柱部、１６１…補強用凹凸、１６２ａ、１６２ｂ…抜け止め用ゴム挿入窓、１６３ａ、１６３ｂ…抜け止め用ゴム装着部、１６４ａ、１６４ｂ…抜け止め用ゴム、１６５ａ、１６５ｂ、１６６ａ、１６６ｂ…抜け止め用ゴムのアーム。
【図１】
2014045407.tif 000003
【図２】
2014045407.tif 000004
【図３】
2014045407.tif 000005
【図４】
2014045407.tif 000006
【図５】
2014045407.tif 000007
【図６】
2014045407.tif 000008
【図７】
2014045407.tif 000009
【図８】
2014045407.tif 000010
【図９】
2014045407.tif 000011
【図１０】
2014045407.tif 000012
【図１１】
2014045407.tif 000013
【図１２】
2014045407.tif 000014
【図１３】
2014045407.tif 000015
【図１４】
2014045407.tif 000016
【図１５】
2014045407.tif 000017
【図１６】
2014045407.tif 000018
【図１７】
2014045407.tif 000019
【図１８】
2014045407.tif 000020
【図１９】
2014045407.tif 000021
【図２０】
2014045407.tif 000022
【図２１】
2014045407.tif 000023
【図２２】
2014045407.tif 000024
【図２３】
2014045407.tif 000025
【図２４】
2014045407.tif 000026
【図２５】
2014045407.tif 000027
【図２６】
2014045407.tif 000028
【図２７】
2014045407.tif 000029
【図２８】
2014045407.tif 000030
【図２９】
2014045407.tif 000031
【図３０】
2014045407.tif 000032